(57)【要約】【課題】第１媒体が導入される第１導入口と同じ側に形成された第２導入口に第２媒体を容易に挿入できる、画像読取装置および搬送装置を提供する。【解決手段】カードトレイ４は、カード導入口１２１の下方で左右方向に延びる回動軸線を中心に、カード導入口１２１をカバーする閉位置とカード導入口１２１を開放する開位置との間で回動可能に設けられている。これにより、カードトレイ４を利用して、カードＣＡをカード導入口１２１に挿入することができる。すなわち、カードＣＡの一端部が使用者の手指で摘まれて、カードＣＡの他端部が開位置または閉位置と開位置との間の中間位置に位置するカードトレイ４上でカード導入口１２１に向けて摺動されることにより、その一端部をカード導入口１２１に近づけることができる。【選択図】図４Ｃ
2014082620.tif 000002
【特許請求の範囲】
【請求項１】
第１筐体と第２筐体とを備え、前記第１筐体と前記第２筐体との間に第１方向の一方側である導入側において第１媒体が導入されるように構成される第１導入口と、前記第１筐体と前記第２筐体との間に前記第１導入口に導入される前記第１媒体が搬送されるように構成される第１搬送路と、が形成され、前記第２筐体の前記導入側において前記第１媒体よりも幅狭の第２媒体が導入されるように構成される第２導入口が形成され、更に前記第２導入口に導入される前記第２媒体が搬送されるように構成される第２搬送路が形成された筐体と、
前記第２導入口の下方で前記第１方向と直交する第２方向に延びる回動軸線を中心に、前記第２導入口をカバーする閉位置と前記第２導入口を開放する開位置との間で回動可能に前記筐体に設けられたトレイと、
前記第１搬送路を搬送される前記第１媒体及び前記第２搬送路を搬送される前記第２媒体の画像を読み取るように構成される読取部と、を備える、画像読取装置。
【請求項２】
前記トレイは、前記開位置で前記第２搬送路と略平行に延びる、請求項１に記載の画像読取装置。
【請求項３】
前記トレイを前記開位置から前記閉位置に向けて付勢するように構成される付勢部材を備える、請求項２に記載の画像読取装置。
【請求項４】
前記トレイは、前記第１方向に対して傾斜する方向に延びる中間位置において、重力と前記付勢部材から受ける付勢力とが釣り合うことにより、前記中間位置に保持される、請求項３に記載の画像読取装置。
【請求項５】
前記第２搬送路の前記導入側の一部である導入路は、第２筐体の上ガイドと第２筐体の下ガイドとの間に形成され、
前記上ガイドは、前記導入側ほど上方に位置するように形成されている、請求項１〜４のいずれか一項に記載の画像読取装置。
【請求項６】
前記トレイは、前記導入側に膨出するように湾曲している、請求項１〜５のいずれか一項に記載の画像読取装置。
【請求項７】
前記トレイ上から前記第２導入口に導入される前記第２媒体の前記第２方向の一方側の端縁をガイドするように構成される一方側ガイド部を備える、請求項１〜６のいずれか一項に記載の画像読取装置。
【請求項８】
前記第２方向に移動可能に設けられ、前記トレイ上から前記第２導入口に導入される前記第２媒体の前記第２方向の他方側の端縁をガイドするように構成される他方側ガイド部を備える、請求項７に記載の画像読取装置。
【請求項９】
前記他方側ガイド部を前記第２方向の前記一方側に向けて付勢するように構成されるガイド付勢部材を備える、請求項８に記載の画像読取装置。
【請求項１０】
前記他方側ガイド部は、前記第２導入口への前記第２媒体の導入を検出するように構成されるセンサのアクチュエータを兼ねている、請求項９に記載の画像読取装置。
【請求項１１】
前記他方側ガイド部の移動量を規制するように構成されるストッパを備える、請求項８〜１０のいずれか一項に記載の画像読取装置。
【請求項１２】
前記トレイは、前記閉位置において、その先端部と前記第２筐体の前記導入側の側面との間に上方に開放される隙間を形成する、請求項１〜１１のいずれか一項に記載の画像読取装置。
【請求項１３】
第１筐体と第２筐体とを備え、前記第１筐体と前記第２筐体との間に第１方向の一方側である導入側において第１媒体が導入されるように構成される第１導入口と、前記第１筐体と前記第２筐体との間に前記第１導入口に導入される前記第１媒体が搬送されるように構成される第１搬送路と、が形成され、前記第２筐体の前記導入側において前記第１媒体よりも幅狭の第２媒体が導入されるように構成される第２導入口が形成され、更に前記第２導入口に導入される前記第２媒体が搬送されるように構成される第２搬送路が形成された筐体と、
前記第２導入口の下方で前記第１方向と直交する第２方向に延びる回動軸線を中心に、前記第２導入口をカバーする閉位置と前記第２導入口を開放する開位置との間で回動可能に前記筐体に設けられたトレイと、
前記第１媒体及び前記第２媒体を搬送するように構成されるローラと、を備える、搬送装置。
【発明の詳細な説明】
【技術分野】
【０００１】
本発明は、画像読取装置および搬送装置に関する。
【背景技術】
【０００２】
特許文献１に開示されている画像読取装置は、筐体を備えている。筐体の背面側には、シートを導入するための導入口が形成されている。一方、筐体の前面側には、シートを排出するための排出口が形成されている。そして、筐体の内部には、導入口から排出口に至る搬送路が形成されている。搬送路には、画像読取ユニットが設けられている。また、画像読取ユニットの導入口側および排出口側には、それぞれ搬送ローラ対が設けられている。
【０００３】
導入口から導入されるシートは、搬送ローラ対により、搬送路を搬送される。このシートの搬送の途中で、画像読取ユニットにより、シートの表面の画像が読み取られる。
【０００４】
また、特許文献１に開示されている画像読取装置は、シートよりも幅狭なカードに描かれている画像をも読み取ることができる。具体的には、排出口の一部は、カードを導入するカード導入口およびカードを排出するカード排出口を兼ねている。また、搬送ローラ対を一方向および他方向の両方向に回転駆動するための機構が設けられている。
【０００５】
カード導入口にカードが挿入されると、搬送ローラ対がシートの搬送時とは逆方向に回転駆動されて、搬送ローラ対により、カードがカード導入口内に引き込まれる。そして、カードが画像読取ユニットを通過すると、搬送ローラ対の回転方向が反転されて、搬送ローラ対がシートの搬送時と同方向に回転駆動される。これにより、カードの搬送方向が反転され、カードがカード排出口に向けて搬送される。このカードの搬送の途中で、画像読取ユニットにより、カードの画像が読み取られる。
【先行技術文献】
【特許文献】
【０００６】
【特許文献１】特開２０１２−１００１１５号公報
【発明の概要】
【発明が解決しようとする課題】
【０００７】
しかしながら、搬送ローラを一方向および他方向の両方向に回転駆動するための機構が設けられているため、搬送ローラの駆動系の構成が複雑である。
【０００８】
搬送ローラの駆動系の構成を簡素化するために、カードを導入するためのカード導入口を筐体の背面に形成し、このカード導入口から導入されたカードを排出口の一部からなるカード排出口に向けて搬送する構成が考えられる。ところが、使用者が筐体の前面側からカード導入口を視認しにくいため、カードを手探りでカード導入口に挿入しなければならず、その挿入に手間取るおそれがある。
【０００９】
本発明の目的は、シート等の第１媒体が導入される第１導入口と同じ側に形成された第２導入口にカード等の第２媒体を容易に挿入できる、画像読取装置および搬送装置を提供することである。
【課題を解決するための手段】
【００１０】
前記の目的を達成するため、本発明の一の局面に係る画像読取装置は、第１筐体と第２筐体とを備え、前記第１筐体と前記第２筐体との間に第１方向の一方側である導入側において第１媒体が導入されるように構成される第１導入口と、前記第１筐体と前記第２筐体との間に前記第１導入口に導入される前記第１媒体が搬送されるように構成される第１搬送路と、が形成され、前記第２筐体の前記導入側において前記第１媒体よりも幅狭の第２媒体が導入されるように構成される第２導入口が形成され、更に前記第２導入口に導入される前記第２媒体が搬送されるように構成される第２搬送路が形成された筐体と、前記第２導入口の下方で前記第１方向と直交する第２方向に延びる回動軸線を中心に、前記第２導入口をカバーする閉位置と前記第２導入口を開放する開位置との間で回動可能に前記筐体に設けられたトレイと、前記第１搬送路を搬送される前記第１媒体及び前記第２搬送路を搬送される前記第２媒体の画像を読み取るように構成される読取部と、を備える。
【００１１】
この構成によれば、トレイを利用して、第２媒体を第２導入口に挿入することができる。すなわち、例えば、第２媒体の一端部が使用者の手指で摘まれて、第２媒体の他端部がトレイ上を第２導入口に向けて摺動されながら、第２媒体を介した押圧によりトレイが閉位置から開位置へ回動される。このとき、トレイにより、第２媒体の他端部が第２導入口に案内される。
【００１２】
第１方向の他方側に位置する使用者は、第２導入口を視認しにくくても、第２導入口をカバーするように設けられたトレイを視認することができ得る。そのため、第２媒体の他端部をトレイ上に容易に載置することができる。第２媒体の他端部がトレイ上に載置された後は、トレイにより、第２媒体の他端部が第２導入口へ案内される。よって、第２媒体を第２導入口に容易に挿入することができる。
【００１３】
トレイは、開位置で第２搬送路と略平行に延びることが好ましい。
【００１４】
この構成によれば、第２媒体が第２搬送路と開位置に位置するトレイとに跨がるときに、第２媒体が湾曲することを抑制できる。
【００１５】
画像読取装置は、トレイを開位置から閉位置に向けて付勢するように構成される付勢部材を備えていてもよい。
【００１６】
この場合、トレイは、第１方向に対して傾斜する方向に延びる中間位置において、重力と付勢部材から受ける付勢力とが釣り合うことにより、その中間位置に保持されることが好ましい。
【００１７】
この構成によれば、第２媒体が第２導入口に挿入されるときには、第２媒体の一端部が使用者の手指で摘まれて、第２媒体の他端部が中間位置に位置するトレイ上に載置される。このとき、トレイが第１方向に対して傾斜しているので、第２媒体の他端部がその傾斜に沿って移動する。その後、第２媒体が押圧されて、第２媒体により、トレイが中間位置から開位置に向けて押圧される。このとき、第２媒体の他端部がトレイ上をさらに滑りながら、第２媒体の状態が第１方向に沿う状態に変化する。
【００１８】
トレイが閉位置から開位置に回動された後に、その開位置に位置するトレイ上に第２媒体の他端部が載置されて、第２媒体の他端部がトレイ上を第２導入口へと摺動される構成も考えられる。しかしながら、第１方向の他方側に位置する使用者にとって、開位置に位置するトレイよりも、中間位置に位置するトレイの方が視認しやすい。よって、第２媒体の他端部をトレイ上に容易に載置することができるので、第２媒体を第２導入口に一層容易に挿入することができる。
【００１９】
第２搬送路の導入側の一部である導入路は、下部筐体の上ガイドと下部筐体の下ガイドとの間に形成されていてもよい。
【００２０】
この場合、上ガイドは、導入側ほど上方に位置するように形成されていることが好ましい。
【００２１】
この構成によれば、第２媒体が第２導入口を介して導入路に導入されるときに、第２媒体が上ガイドと接触することを抑制できる。その結果、第２媒体がエンボスを有していても、そのエンボスが傷つけられる又はエンボスにより上ガイドが傷つけられることを抑制できる。
【００２２】
トレイは、導入側に膨出するように湾曲していることが好ましい。
【００２３】
これにより、第２媒体をトレイ上で滑らかに摺動させることができる。
【００２４】
画像読取装置は、トレイ上から第２導入口に導入される第２媒体の第２方向の一方側の端縁をガイドするように構成される一方側ガイド部を備えることが好ましい。
【００２５】
この構成によれば、第２媒体が第２導入口から導入されるときに、第２媒体が第２導入口に対して第２方向の一方側にずれることを抑制できる。そのため、第２媒体を第２導入口から良好に導入することができる。
【００２６】
画像読取装置は、第２方向に移動可能に設けられ、トレイ上から第２導入口に導入される第２媒体の第２方向の他方側の端縁をガイドするように構成される他方側ガイド部を備えることが好ましい。
【００２７】
この構成によれば、第２媒体が第２導入口から導入されるときに、第２媒体が第２導入口に対して第２方向の他方側にずれることを抑制できる。そのため、第２媒体を第２導入口から良好に導入することができる。
【００２８】
画像読取装置は、他方側ガイド部を第２方向の一方側に向けて付勢するように構成されるガイド付勢部材を備えることがより好ましい。
【００２９】
この構成によれば、ガイド付勢部材により、他方側ガイド部が一方側ガイド部に向けて付勢される。そのため、第２媒体が一方側ガイド部と他方側ガイド部との間に配置されたときに、他方側ガイド部により、第２媒体が一方側ガイド部に向けて押圧される。その結果、第２媒体が一方側ガイド部と他方側ガイド部とに挟まれて、第２媒体が第２方向に位置決めされる。よって、第２媒体を第２導入口から良好に導入することができる。
【００３０】
他方側ガイド部は、第２導入口への第２媒体の導入を検出するように構成されるセンサのアクチュエータを兼ねていることが好ましい。
【００３１】
この構成によれば、第２媒体が第２導入口から導入されたときに、センサにより、その導入が検出することができるとともに、第２媒体を一方側ガイド部に向けて付勢することができる。センサのアクチュエータと他方側ガイド部とを別々に設けた構成と比較して、部品点数を低減することができ、コストを削減することができる。
【００３２】
画像読取装置は、他方側ガイド部の移動量を規制するように構成されるストッパを備えていることが好ましい。
【００３３】
これにより、他方側ガイド部が一方側ガイド部から大きく離間することを抑制できる。他方側ガイド部が一方側ガイド部から大きく離間する構成では、たとえば、クレジットカードなどの第２媒体の長辺が第２方向に沿う向き、つまり横向きで、第２媒体が一方側ガイド部と他方側ガイド部との間に導入されることが許容される。第２媒体の短辺が第２方向に沿う向き、つまり縦向きで、第２媒体が第２導入口に導入されることを前提に画像読取装置が構成されている場合、第２媒体が横向きで第２導入口から導入されると、第２媒体が搬送途中で詰まる等の搬送異常が発生するおそれがある。しかし、本発明によれば、他方側ガイド部が一方側ガイド部から大きく離間することが抑制されるので、第２媒体が横向きで一方側ガイド部と他方側ガイド部との間に導入されることを抑制できる。その結果、第２媒体の搬送異常の発生を抑制することができる。
【００３４】
トレイは、閉位置において、その先端部と下部筐体の導入側の側面との間に上方に開放される隙間を形成することが好ましい。
【００３５】
これにより、閉位置に位置するトレイの先端部と下部筐体の導入側の側面との間に上方から第２媒体を差し込むことができる。そして、第２媒体を介してトレイを押圧することができる。そのため、第２媒体を介したトレイの押圧により、トレイを閉位置から開位置に容易に移動させることができる。
【００３６】
本発明の他の局面に係る搬送装置は、第１筐体と第２筐体とを備え、前記第１筐体と前記第２筐体との間に第１方向の一方側である導入側において第１媒体が導入されるように構成される第１導入口と、前記第１筐体と前記第２筐体との間に前記第１導入口に導入される前記第１媒体が搬送されるように構成される第１搬送路と、が形成され、前記第２筐体の前記導入側において前記第１媒体よりも幅狭の第２媒体が導入されるように構成される第２導入口が形成され、更に前記第２導入口に導入される前記第２媒体が搬送されるように構成される第２搬送路が形成された筐体と、前記第２導入口の下方で前記第１方向と直交する第２方向に延びる回動軸線を中心に、前記第２導入口をカバーする閉位置と前記第２導入口を開放する開位置との間で回動可能に前記筐体に設けられたトレイと、前記第１媒体及び前記第２媒体を搬送するように構成されるローラと、を備える。
【００３７】
この構成によれば、トレイを利用して、第２媒体を第２導入口に挿入することができる。すなわち、第２媒体の一端部が使用者の手指で摘まれて、第２媒体の他端部が第２導入口に向けて摺動されながら、カードを介した押圧によりトレイが閉位置から開位置へ回動される。このとき、トレイにより、第２媒体の他端部が第２導入口に案内される。
【００３８】
第１方向の他方側に位置する使用者は、第２導入口を視認しにくくても、第２導入口をカバーするように設けられたトレイを視認することができ得る。そのため、第２媒体の他端部をトレイ上に容易に載置することができる。第２媒体の他端部がトレイ上に載置された後は、トレイにより、第２媒体の他端部が第２導入口へ案内される。よって、第２媒体を第２導入口に容易に挿入することができる。
【発明の効果】
【００３９】
本発明によれば、トレイを利用して、第２媒体を第２導入口に挿入することができる。よって、第２媒体を第２導入口に容易に挿入することができる。
【図面の簡単な説明】
【００４０】
【図１Ａ】図１Ａは、本発明の一実施形態に係る画像読取装置１の右前上方から見た斜視図であり、カバー３が閉じられた状態を示す。
【図１Ｂ】図１Ｂは、画像読取装置１の右後上方から見た斜視図であり、カバー３が閉じられた状態を示す。
【図２】図２は、画像読取装置１の右前上方から見た斜視図であり、カバー３が開かれた状態を示す。
【図３】図３は、画像読取装置１の平面図であり、カバー４が開かれるとともに、上部筐体１４がメンテナンス位置に配置された状態を示す。
【図４Ａ】図４Ａは、画像読取装置１の内部構成及びカードトレイ６を説明するための説明図であり、カバー４が開かれて、シートＳＨが搬送されるときの状態を示す。
【図４Ｂ】図４Ｂは、画像読取装置１の内部構成及びカードトレイ６を説明するための説明図であり、カバー３が閉じられ、カードトレイ４が閉位置に位置する状態を示す。
【図４Ｃ】図４Ｂは、画像読取装置１の内部構成及びカードトレイ６を説明するための説明図であり、カバー３が閉じられ、カードトレイ４が中間位置に位置する状態を示す。
【図４Ｄ】図４Ｄは、画像読取装置１の内部構成及びカードトレイ６を説明するための説明図であり、カバー３が閉じられ、カードトレイ４が開位置に位置する状態を示す。
【図５】図５は、画像読取装置１のカード導入口１２１の近傍の平面図であり、カードトレイ４が開位置に位置する状態を示す。
【図６】図６は、他の実施形態におけるカードトレイ６の左前側から見た斜視図である。
【図７】図７は、シート排出口２０２とカード排出口１２３とが少なくとも一部において重複していることを概略的に示すための説明図である。
【発明を実施するための形態】
【００４１】
以下では、本発明の実施の形態について、添付図面を参照しつつ詳細に説明する。画像読取装置１は、本発明の画像読取装置および搬送装置の具体的態様の一例である。図１Ａでは、前カバー２２側を装置の前側と規定し、前カバー２２に対向した場合に左手に来る側を左側と規定して、前後、左右および上下の各方向を表示する。そして、図１Ｂ以降に示す各方向は、全て図１Ａに示す各方向に対応させて表示する。以下、図１Ａ等に基づいて、画像読取装置１が備える各構成要素について説明する。
【００４２】
＜外観＞
【００４３】
画像読取装置１は、筐体２およびカバー３を備えている。
【００４４】
＜筐体＞
【００４５】
筐体２は、左側板部１１、右側板部１２、下部筐体１３および上部筐体１４を備えている。
【００４６】
左側板部１１および右側板部１２は、左右方向に間隔を空けて配置されている。
【００４７】
下部筐体１３および上部筐体１４は、左側板部１１と右側板部１２との間に配置されている。
【００４８】
下部筐体１３は、左側板部１１および右側板部１２に対して固定されている。
【００４９】
上部筐体１４の左前下端部および右前下端部には、非図示の軸部がそれぞれ左側および右側に突出して形成されている。そして、左右の軸部がそれぞれ左側板部１１および右側板部１２に回動可能に支持されることにより、上部筐体１４は、図２に示される通常位置と図３に示されるメンテナンス位置との間で回動可能に設けられている。
【００５０】
上部筐体１４は、図２に示されるように、通常位置で、下部筐体１３に上方から重なる。通常位置に位置する上部筐体１４の上面１４Ｕは、左側板部１１および右側板部１２の各上面１１Ｕ，１２Ｕよりも一段低い位置に位置する。また、通常位置に位置する上部筐体１４の前面１４Ｆは、左側板部１１および右側板部１２の各前面１１Ｆ，１２Ｆよりも後側に一段凹んだ位置に位置する。
【００５１】
また、上部筐体１４は、メンテナンス位置で、下部筐体１３に対して前側に展開して、下部筐体１３の前端部上から前上方に延びる。
【００５２】
＜カバー＞
【００５３】
カバー３は、上カバー２１および前カバー２２を備えている。
【００５４】
上カバー２１の基端部は、筐体２の左側板部１１および右側板部１２の後上端部に回動可能に支持されている。これにより、上カバー２１は、図１Ａおよび図１Ｂに示される閉位置と図２に示される開位置との間で回動可能に設けられている。
【００５５】
上カバー２１は、閉位置で、下部筐体１３および上部筐体１４に上方から重なる。
【００５６】
また、上カバー２１は、開位置で、筐体２の後上端部から後上方に延びる。
【００５７】
前カバー２２は、図１Ａに示される屈曲位置と図２に示される伸張位置との間で回動可能に設けられている。
【００５８】
また、前カバー２２は、伸張位置で、上カバー２１と略同一平面上を延びる。上カバー２１が開位置に位置し、前カバー２２が伸張位置に位置する状態で、上カバー２１および前カバー２２は、図２に示されるように、筐体２の後上端部から後上方に延び、筐体２内に送り込まれる第１媒体の一例としてのシートＳＨが載置されるトレイをなす。シートＳＨは、例えば、用紙やＯＨＰシート等である。
【００５９】
下部筐体１３の後端縁３１は、下部筐体１３の前端縁３２よりも高い位置に位置している。下部筐体１３は、図３および図４に示されるように、傾斜部３３と平坦部３４とを有している。傾斜部３３は、後端縁３１から前端縁３２と同じ高さの位置まで前下方に延びる。平坦部３４は、前端縁３２と同じ高さの位置で、傾斜部３３から前端縁３２まで延びる。
【００６０】
上部筐体１４の下面１４Ｂの後端縁７１は、図２に示されるように、下部筐体１３の傾斜部３３の上方に間隔を空けて位置する。下面１４Ｂの前端縁７２は、下部筐体１３の上面１３Ｕの前端縁３２の上方に間隔を空けて位置する。上部筐体１４は、図３および図４に示されるように、傾斜部７３と、平坦部７４とを有している。傾斜部７３は、後端縁７１から前端縁７２と同じ高さの位置まで、傾斜部３３と平行をなして前下方に延びる。平坦部３４は、前端縁７２と同じ高さの位置で、傾斜部７３から前端縁７２まで下部筐体１３の平坦部３４と平行をなして延びる。
【００６１】
シート導入口２０１とシート排出口２０２とシート搬送路２０３とが、上部筐体１４と下部筐体１３との間に形成されている。シート導入口２０１は、第１導入口の一例である。シート排出口２０２は、第１排出口の一例である。シート搬送路２０３は、第１搬送路の一例である。シート導入口２０１は、上部筐体１４の後端縁７１と下部筐体１３の傾斜部３３との間に形成され、後上方に開放されている。シート排出口２０２は、上部筐体１４の前端縁７２と下部筐体１３の前端縁３２との間に形成され、前方に開放されている。シート搬送路２０３は、シート導入口２０１とシート排出口２０２とを連結している。シート搬送路２０３は、上部筐体１４の傾斜部７３と下部筐体１３の傾斜部３３との間の空間、および上部筐体１４の平坦部７４と下部筐体１３の平坦部３４との間の空間である。
【００６２】
シート導入口２０１から導入されたシートＳＨは、筐体２内のシート搬送路２０３を通過して、シート排出口２０２から排出される。以下、このシートＳＨの流れに沿って、画像読取装置１が備える各構成の説明を行う。
【００６３】
画像読取装置１は、供給ローラ４１、分離片８１、ＬＦローラ４２、ＬＦピンチローラ８２、カードＬＦローラ４３、カードＬＦピンチローラ８３、排出ローラ４４、排出ピンチローラ８４、カード排出ローラ４５およびカード排出ピンチローラ８５を備えている。
【００６４】
供給ローラ４１は、図３に示されるように、２つのローラを備える。供給ローラ４１の２つのローラは回転軸５１に取り付けられている。供給ローラ４１は、傾斜部３３の左右方向の中央部に、配置されている。回転軸５１は、下部筐体１３の内部で左右方向に延び、下部筐体１３に回転可能に保持されている。
【００６５】
分離片８１は、たとえば、ゴムからなる。分離片８１の基端部は、上部筐体１４に取り付けられている。分離片８１は、供給ローラ４１の周面に弾性的に当接している。分離片８１と供給ローラ４１とにより、複数枚のシートＳＨが一枚に分離されて、搬送され得る。シートＳＨは、前方に向けて搬送される。したがって、本実施形態において、前方がシート搬送方向における下流側であり、後方がシート搬送方向における上流側である。
【００６６】
ＬＦローラ４２およびＬＦピンチローラ８２は、供給ローラ４１および分離片８１のシート搬送方向下流側に位置する。ＬＦローラ４２は、２つのローラを備える。ＬＦローラ４２の２つのローラは回転軸５３に取り付けられている。ＬＦピンチローラ８２は、２つのピンチローラを備える。ＬＦピンチローラ８２の２つのピンチローラは、回転軸９１に取り付けられている。ＬＦピンチローラ８２の周面は、図４に示されるように、ＬＦローラ４２の周面に上方から当接している。ＬＦローラ４２が回転駆動されると、ＬＦピンチローラ８２がＬＦローラ４２に従動して回転される。
【００６７】
カードＬＦローラ４３は、ＬＦローラ４２の右側に間隔を空けた位置に配置されている。カードＬＦローラ４３は、ＬＦローラ４２と共通の回転軸５３に取り付けられている。カードＬＦピンチローラ８３は、ＬＦピンチローラ８２の右側に間隔を空けた位置に配置されている。カードＬＦピンチローラ８３は、図３に示されるように、２つのピンチローラを備える。カードＬＦピンチローラ８３の２つのピンチローラは、回転軸９１に取り付けられている。カードＬＦピンチローラ８３の２つのピンチローラの周面は、図４に示されるように、それぞれ下部筐体１３のカードＬＦローラ４３の周面の左側および右側に微小な間隔を空けて隣接する。
【００６８】
また、画像読取装置１は、図４に示されるように、ＬＦローラ４２およびＬＦピンチローラ８２のシート搬送方向下流側において、第１読取部１００および第２読取部６０を備える。第１読取部１００は、Contact Image Sensor(以後、「ＣＩＳ」と記す）ホルダ１０１、ＣＩＳユニット１０２およびコンタクトガラス１０３を備えている。第２読取部６０は、ＣＩＳホルダ６１、ＣＩＳユニット６２、およびコンタクトガラス６３を備える。
【００６９】
読取部の一例としてのＣＩＳユニット６２は、ＣＩＳホルダ６１内に収容されている。ＣＩＳユニット６２の内部には、たとえば、ＬＥＤ光源、レンズおよびイメージセンサが設けられている。読取部の一例としてのＣＩＳユニット１０２は、ＣＩＳホルダ１０１内に収容されている。ＣＩＳユニット１０２の内部には、たとえば、ＬＥＤ光源、レンズおよびイメージセンサが設けられている。
【００７０】
コンタクトガラス６３は、無色透明のガラスからなる。コンタクトガラス６３は、ＣＩＳホルダ６１の上面を閉塞するように設けられて、ＣＩＳホルダ６１に保持されている。コンタクトガラス１０３は、無色透明のガラスからなる。コンタクトガラス１０３は、ＣＩＳホルダ１０１の下面を閉塞するように設けられて、ＣＩＳホルダ１０１に保持されている。
【００７１】
ＣＩＳホルダ６１は、ＣＩＳユニット６２およびコンタクトガラス６３を保持した状態で、下部筐体１３の平坦部３４に形成された開口６４に嵌められている。ＣＩＳホルダ１０１は、ＣＩＳユニット１０２およびコンタクトガラス１０３を保持した状態で、上部筐体１４の平坦部７４に形成された開口１０４に嵌められている。
【００７２】
ＬＦローラ４２およびＬＦピンチローラ８２により搬送されるシートＳＨの両面の画像は、第１読取部１００および第２読取部６０により読み取られる。
【００７３】
排出ローラ４４および排出ピンチローラ８４は、ＣＩＳユニット１０２およびＣＩＳユニット６２のシート搬送方向下流側に位置する。排出ローラ４４は、２つのローラを備える。排出ローラ４４の２つのピンチローラは、回転軸５６に取り付けられている。排出ピンチローラ８４は、２つのピンチローラを備える。排出ピンチローラ８４の２つのピンチローラは、回転軸９４に取り付けられている。排出ピンチローラ８４の周面は、図４に示されるように、排出ローラ４４の周面に上方から当接している。排出ローラ４４が回転駆動されると、排出ピンチローラ８４が排出ローラ４４に従動して回転される。
【００７４】
画像読取装置１では、シートＳＨよりも幅狭の第２媒体の一例としてのカードＣＡに描かれている画像を読み取ることができる。カードＣＡは、用紙等よりも幅狭で肉厚な媒体である。カードＣＡは、例えば、名刺、キャッシュカード、会員証又は免許証等である。カードＣＡは、第２媒体の一例である。
【００７５】
カードＣＡの画像の読み取りのために、図４に示されるように、第２導入口の一例としてのカード導入口１２１が下部筐体１３に形成されている。カード導入口１２１は、下部筐体１３の後面１３ＲにおけるカードＬＦローラ４３およびカードＬＦピンチローラ８３と前後方向に重なる位置に設けられている。カード導入口１２１は、左右方向に延びている。カード導入口１２１の左右方向の幅は、国際標準化機構（ＩＳＯ）／国際電気標準会議（ＩＥＣ）による国際規格ＩＤ−１のカードサイズの短辺の長さ（５３．９８ｍｍ）よりも少し大きく、そのカードサイズの長辺の長さ（８５．６０ｍｍ）よりも小さい。
【００７６】
前述の通り、下部筐体１３の後端縁３１は、下部筐体１３の前端縁３２とほぼ同じ高さに位置している。そして、カード搬送路２０４は、後端縁３１から前端縁３２へ延びている。そのため、カードＣＡの搬送方向は、画像読取装置１が水平面上に設置された状態で、略水平方向となる。カード搬送路１２４は、下部筐体１３の上面１３Ｕの平坦部３４と上部筐体１４の下面１４Ｂの平坦部７４との間の空間および下部筐体１３における上面１３Ｕの傾斜部３３の下方の空間に形成されている。カード搬送路１２４のうち、下部筐体１３の平坦部３４と上部筐体１４の平坦部７４との間の搬送路は、シート搬送路２０３の右側の一領域である。すなわち、カード搬送路１２４は、シート搬送路２０３と少なくとも一部重複している。下部筐体１３は、上ガイド１２７と下ガイド１２５とを備える。第２搬送路の一例としてのカード搬送路１２４の導入側の一例としての後側の一部としての導入路１２６は、上ガイド１２７と下ガイド１２５との間に形成されている。上ガイド１２７は、上部筐体１４の下面１４Ｂの後端部に形成され、後側ほど上側に位置するように形成されている。上ガイド１２７は、後下方に膨出するように湾曲している。下ガイド１２５は、下部筐体１３の上面１３Ｕの後端部に形成され、後下方に傾斜している。
【００７７】
図２および図７に示すように、筐体２にカード排出口１２３が形成されている。カード排出口１２３は、上部筐体１４の前端縁７２と下部筐体１３の前端縁３２との間に形成され、前方に開放されている。カード排出口１２３の下側の一部が、シート排出口２０２の右側の一部と重複している。すなわち、シートＳＨおよびカードＣＡの両方が、この重複領域ＯＬを通過可能である。
【００７８】
カード搬送路２０４は、カード導入口１２１とカード排出口１２３とを連結している。カード搬送路２０４は、下部筐体１３の上面１３Ｕの平坦部３４と上部筐体１４の下面１４Ｂの平坦部７４との間の空間および下部筐体１３における上面１３Ｕの傾斜部３３の下方の空間に形成されている。カバー３が閉位置に位置していても、図１Ａに示すようにカバー３は、カード導入口１２１を開放している。
【００７９】
＜カードトレイ＞
【００８０】
画像読取装置１は、図１および図４に示されるように、カードトレイ４を備えている。
【００８１】
カードトレイ４は、カード導入口１２１を後側からカバーする閉位置とカード導入口１２１を開放する開位置との間で回動可能に設けられている。
【００８２】
具体的には、カードトレイ４の回動軸１３１は、たとえば、金属製のシャフトからなる。回動軸１３１は、カードトレイ４の一端部に回動可能に挿通されている。回動軸１３１は、傾斜した下ガイド１２５上で左右方向に延びている。回動軸１３１の両端部は、下部筐体１３に支持されている。
【００８３】
カードトレイ４は、閉位置で、回動軸１３１から上方に延びる。カードトレイ４は、外側に膨出するように途中部が緩やかに湾曲している。カードトレイ４は、図４Ｂに示すように、閉位置において、その先端部と下部筐体１３の導入側の側面の一例としての後面１３Ｒとの間に上方に開放される隙間を形成する。具体的には、カードトレイ４が閉位置に位置する状態で、カードトレイ４の先端部は、下部筐体１３の後面１３Ｒにおけるカード導入口１２１の上方の部分に後側から微小な間隔を空けて近接する。これにより、カード導入口１２１は、カードトレイ４によって後側からカバーされる。
【００８４】
カードトレイ４は、開位置で、回動軸１３１から後方に延びる。カードトレイ４が開位置に位置する状態で、カードトレイ４の先端部は、カード導入口１２１から後方に離間し、回動軸１３１よりも高い位置に配置される。
【００８５】
カードトレイ４は、付勢部材の一例としてのコイルばね１３２により、開位置から閉位置に向けて付勢されている。言い換えれば、画像読取装置１は、トレイの一例としてのカードトレイ４を開位置から閉位置に向けて付勢するように構成された付勢部材の一例としてのコイルばね１３２を備えている。コイルばね１３２は、回動軸１３１に巻回されている。コイルばね１３２の一端部１３３は、下部筐体１３に取り付けられている。コイルばね１３２の他端部１３４は、カードトレイ４に取り付けたれている。
【００８６】
また、カードトレイ４は、図５に示されるように、一対のガイド部１３５を備えている。図５では、カードトレイ４が開位置に位置する状態が示されている。カードトレイ４が閉位置に位置する状態では、図４Ｂに示されるように、カードトレイ４の内面１３６が前方を向く。カードトレイ４が開位置に位置する状態では、カードトレイ４の内面１３６が上方を向く。一対のガイド部１３５は、カードトレイ４の内面１３６の左端部および右端部に立設され、前後方向に延びている。
【００８７】
＜カードガイド＞
【００８８】
画像読取装置１は、図５に示されるように、カードガイド５を備えている。
【００８９】
カードガイド５は、カード導入口１２１の前側に設けられている。カードガイド５は、左側ガイド部１４１および右側ガイド部１４２を備えている。
【００９０】
一方側ガイド部の一例としての左側ガイド部１４１は、下部筐体１３の上面１３Ｕの後端部に設けられている。左側ガイド部１４１は、カードトレイ４の左側のガイド部１３５と前後方向に重なる位置で前後方向に延びる前側部分１４３と、前側部分１４３の後端部から後側ほど左側に位置するように左後方に延びる傾斜部分１４４とを一体的に有している。
【００９１】
他方側ガイド部の一例としての右側ガイド部１４２は、下部筐体１３の上面１３Ｕの後端部に揺動可能に設けられている。右側ガイド部１４２の揺動軸１４５は、カードトレイ４の右側のガイド部１３５の前側かつ少し右側の位置で、上面１３Ｕに垂直に立設されている。右側ガイド部１４２の基端部１４６は、揺動軸１４５に回動可能に支持されている。右側ガイド部１４２は、揺動軸１４５から前方に延びている。
【００９２】
右側ガイド部１４２は、ガイド付勢部材の一例としてのコイルばね１４７により、先端部１４８が左側に向かうように付勢されている。言い換えれば、画像読取装置１は、他方側ガイド部の一例としての右側ガイド部１４２を第２方向の一方側の一例としての左側に向けて付勢するように構成されるガイド付勢部材の一例としてのコイルばね１４７を備える。コイルばね１４７の一端部は、下部筐体１３に固定されている。コイルばね１４７の他端部は、右側ガイド部１４２に固定されている。
【００９３】
右側ガイド部１４２は、被検出部１５１を一体的に備えている。被検出部１５１は、右側ガイド部１４２の基端部１４６から先端部１４８側と反対側に延びている。
【００９４】
また、画像読取装置１は、カード導入口１２１にカードＣＡが挿入されたことを検出するためのセンサの一例としてのカード挿入センサ１５２を備えている。カード挿入センサ１５２は、揺動軸１４５の右後方に離間した位置に配置され、下部筐体１３の上面１３Ｕに固定されている。カード導入口１２１にカードＣＡが挿入されていない状態で、被検出部１５１の先端部は、カード挿入センサ１５２内に配置される。そのため、カードＣＡがカード導入口１２１に挿入されていない状態では、カード挿入センサ１５２によって被検出部１５１が検出される。カードＣＡがカード導入口１２１に挿入されて、カードＣＡによって右側ガイド部１４２が押され、右側ガイド部１４２が回動すると、被検出部１５１の先端部は、カード挿入センサ１５２外に移動する。したがって、カードＣＡがカード導入口１２１に挿入されている状態では、カード挿入センサ１５２によって被検出部１５１が検出されない。よって、カード挿入センサ１５２が被検出部１５１を検出するか否かにより、カード導入口１２１にカードＣＡが挿入されたか否かを検出することができる。
【００９５】
＜シート画像の読み取り＞
【００９６】
画像読取装置１におけるシートＳＨの画像の読み取りの際には、図２および図４に示されるように、上カバー２１が開位置に配置されるとともに、前カバー２２が伸張位置に配置される。そして、開位置の上カバー２１および伸張位置の前カバー２２がなすトレイ上に、シートＳＨが載置される。そして、非図示の読取ボタン等がユーザに押されると、供給ローラ４１等が右側から見て反時計回りに回転され、シートＳＨの画像の読取が実行される。
【００９７】
トレイ上に載置されるシートＳＨは、その先端部が供給ローラ４１および分離片８１に当接するまで、シート導入口２０１内に差し込まれる。
【００９８】
その後、供給ローラ４１が右側から見て反時計回りに回転される。この供給ローラ４１の回転により、供給ローラ４１の周面からシートＳＨの下面に搬送力が付与され、シートＳＨがＬＦローラ４２およびＬＦピンチローラ８２に向けて搬送される。シートＳＨの先端部が供給ローラ４１と分離片８１との間に挟まれたときに、シートＳＨが１枚ずつに分離され、１枚のシートＳＨのみが供給ローラ４１と分離片８１との間を通過する。
【００９９】
ＬＦローラ４２およびカードＬＦローラ４３は、右側から見て反時計回りに回転される。ＬＦピンチローラ８２およびカードＬＦピンチローラ８３は、右側から見て時計回りに回転する。供給ローラ４１と分離片８１との間を通過したシートＳＨの先端部がＬＦローラ４２およびカードＬＦローラ４３の周面の当接部分に到達すると、ＬＦローラ４２およびカードＬＦローラ４３により、シートＳＨに搬送力が付与される。
【０１００】
ＬＦローラ４２，ＬＦピンチローラ８２およびカードＬＦローラ４３、カードＬＦピンチローラ８３間を通過したシートＳＨは、コンタクトガラス６３，１０３上を通過する。このとき、コンタクトガラス６３，１０３上のシートＳＨにそれぞれＣＩＳユニット６２，１０２のＬＥＤ光源から光が照射される。そして、シートＳＨでの反射光がＣＩＳユニット６２，１０２のイメージセンサに受けられることにより、シートＳＨの両面に描かれている画像の読み取りが達成される。
【０１０１】
排出ローラ４４およびカード排出ローラ４５は、右側から見て反時計回りに回転される。排出ピンチローラ８４およびカード排出ピンチローラ８５は、右側から見て時計回りに回転する。コンタクトガラス６３，１０３上を通過したシートＳＨの先端部が排出ローラ４４およびカード排出ローラ４５に到達すると、排出ローラ４４およびカード排出ローラ４５からシートＳＨに搬送力が付与される。
【０１０２】
排出ローラ４４、排出ピンチローラ８４およびカード排出ローラ４５，カード排出ピンチローラ８５間を搬送されるシートＳＨは、シート排出口２０２を通過して、筐体２外に排出される。
【０１０３】
＜カード画像の読み取り＞
【０１０４】
カードＣＡの画像の読み取りの際には、トレイの一例としてのカードトレイ４が使用される。なお、カード画像の読取の際、カバー３は閉位置に位置されるが、図１Ａに示すようにカバー３は、閉位置においてカード排出口１２３を開放しているため、カードＣＡをカード排出口１２３から排出することができる。
【０１０５】
カードトレイ４の非使用時には、図４Ｂに示されるように、カードトレイ４が閉位置に配置されている。カードトレイ４を使用するために、例えば、まず、使用者の手指により、カードトレイ４の先端部が後方に押される。カードトレイ４は、回動軸１３１を支点に、閉位置から開位置側に回動する。カードトレイ４の回動の途中で、カードトレイ４にコイルばね１３２の付勢力が作用する。これにより、図４Ｂに示されるように、第１方向の一例としての前後方向に対して傾斜する中間位置において、カードトレイ４に作用する重力とコイルばね１３２から受ける付勢力とが釣り合い、カードトレイ４がその中間位置に保持される。
【０１０６】
カードトレイ４が中間位置に配置された後、図４Ｃに示されるように、使用者の手指でカードＣＡの長手方向の一端部が摘まれて、カードＣＡの長手方向の他端部がカードトレイ４の一対のガイド部１３５間に上方から差し込まれる。このとき、カードＣＡがカバー３の後端部に摺擦する。カードＣＡの長手方向の他端部がカードトレイ４の内面１３６に当接すると、カードＣＡは、カードトレイ４の内面１３６とカバー３の後端縁との間に跨がり、カバー３に寄りかかった状態となる。また、カードＣＡの左端縁が左側のガイド部１３５に押し当てられる。
【０１０７】
以下、カードＣＡの長手方向の一端部を「上流側端部」といい、カードＣＡの長手方向の他端部を「下流側端部」という。
【０１０８】
その後、使用者の手指により、カードＣＡの上流側端部が後方に押される。これにより、カードＣＡの左端縁が左側のガイド部１３５にガイドされつつ、カードＣＡの下流側端部がカードトレイ４の内面１３６上をカード導入口１２１に向けて滑りながら、カードＣＡがカードトレイ４の先端部に寄りかかる。その後、カードＣＡの上流側端部が後方にさらに押される。これにより、カードＣＡを介してカードトレイ４の先端部が下方に押され、図４Ｄに示されるように、カードトレイ４が中間位置から開位置に向けて回動する。カードトレイ４の回動に伴って、カードＣＡの下流側端部がカードトレイ４の内面１３６上をカード導入口１２１に向けてさらに摺動するとともに、カードＣＡがカード搬送路１２４と平行に近づく。カードトレイ４は、開位置でカード搬送路１２４と略平行に延びる。
【０１０９】
カードＣＡの下流側端部がカード導入口１２１内に挿入されて、その下流側端部がカードＬＦローラ４３，８３の各周面に当接すると、使用者の手指がカードＣＡから放される。これにより、使用者の手指からカードＣＡに加えられていた力が解放されて、たとえば、カードＣＡのこしにより、コイルばね１３２の付勢力に抗して、カードトレイ４が閉位置に位置した状態が維持される。
【０１１０】
カードＣＡがカード導入口１２１に挿入されるときに、そのカードＣＡの挿入がカードガイド５によって案内される。
【０１１１】
すなわち、カード導入口１２１に挿入されるカードＣＡの左端縁は、カードＣＡの挿入が進むと、カードトレイ４の左側のガイド部１３５から離れ、カードガイド５の左側ガイド部１４１の前側部分１４３に摺動する。カードＣＡの上流側端部がカードトレイ４から離間すると、カードトレイ４は、コイルばね１３２の付勢力により、閉位置から中間位置へ移動する。
【０１１２】
カードＣＡの挿入が進むと、カードＣＡの右前角部がカードガイド５の右側ガイド部１４２の先端部１４８に当接する。カードＣＡの挿入がさらに進むと、カードＣＡによって右側ガイド部１４２の先端部１４８が押され、先端部１４８が右側に移動するように、右側ガイド部１４２が回動する。そして、右側ガイド部１４２の先端部１４８は、カードの右端縁に当接し、コイルばね１４７の付勢力により、カードＣＡを左方に押圧する。その結果、カードＣＡの左端縁が左側ガイド部１４１に押し当てられ、カードＣＡは、左端縁が左側ガイド部１４１にガイドされつつ移動する。
【０１１３】
これにより、画像読取装置１は、トレイの一例としてのカードトレイ４上から第２導入口の一例としてのカード導入口１２１に導入される第２媒体の一例としてのカードの右端縁をガイドするように構成される一方側ガイド部の一例としての左側ガイド部１４１と、第２方向の一例としての左右方向に移動可能に設けられ、カードトレイ４上かカード導入口１２１に導入されるカードＣＡの右端縁をガイドするように構成される他方側ガイド部の一例としての右側ガイド部１４２とを備えると言える。
【０１１４】
また、右側ガイド部１４２の回動により、被検出部１５１がカード挿入センサ１５２から離脱する。これに応答して、カード挿入センサ１５２から出力される検出信号のレベルが変化する。よって、その検出信号のレベルの変化に基づいて、カード導入口１２１からカードＣＡが導入されたことを検出できる。
【０１１５】
カードＬＦローラ４３は、右側から見て反時計回りに回転される。カードＬＦピンチローラ８３は、カードＬＦローラ４３の回転に伴って、右側から見て時計回りに回転する。カード導入口１２１内に挿入されたカードＣＡの先端部がカードＬＦローラ４３およびカードＬＦピンチローラ８３の周面に当接すると、カードＬＦローラ４３からカードＣＡに搬送力が付与され、そのカードＣＡがカードＬＦローラ４３の周面の間に引き込まれる。
【０１１６】
その後、カードＣＡは、第１読取部１００と第２読取部６０との間を通過する。このとき、コンタクトガラス６３，１０３上のカードＣＡにそれぞれＣＩＳユニット６２，１０２のＬＥＤ光源から光が照射される。そして、カードＣＡでの反射光がＣＩＳユニット６２，１０２のイメージセンサに受けられることにより、カードＣＡの両面に描かれている画像の読み取りが達成される。
【０１１７】
カード排出ローラ４５は、右側から見て反時計回りに回転される。一方、カード排出ピンチローラ８５は、カード排出ローラ４５の回転に伴って、右側から見て時計回りに回転する。第１読取部１００と第２読取部６０との間を通過したカードＣＡの下流側端部がカード排出ローラ４５の周面の当接部分に到達すると、カード排出ローラ４５からカードＣＡに搬送力が付与され、そのカードＣＡがカード排出ローラ４５とカード排出ピンチローラ８５との周面の間に引き込まれる。
【０１１８】
カード排出口１２３を通過したカードＣＡは、筐体２外に排出される。このようにして、カードＣＡは、カード排出口１２３を通過して、筐体２外に排出される。
【０１１９】
＜作用効果＞
【０１２０】
カードトレイ４は、カード導入口１２１の下方で左右方向に延びる回動軸線を中心に、カード導入口１２１をカバーする閉位置とカード導入口１２１を開放する開位置との間で回動可能に設けられている。
【０１２１】
これにより、カードトレイ４を利用して、カードＣＡをカード導入口１２１に挿入することができる。すなわち、カードＣＡの上流側端部が使用者の手指で摘まれて、カードＣＡの下流側端部が開位置または閉位置と開位置との間の中間位置に位置するカードトレイ４上でカード導入口１２１に向けて摺動されることにより、その下流側端部をカード導入口１２１に近づけることができる。このとき、カードトレイ４により、カードＣＡの下流側端部がカード導入口１２１に案内される。
【０１２２】
画像読取装置１の前側に位置する使用者は、カード導入口１２１を視認しにくくても、カード導入口１２１をカバーするように設けられたカードトレイ４を視認することができ得る。そのため、カードＣＡの上流側端部をカードトレイ４上に容易に載置することができる。カードＣＡの下流側端部がカードトレイ４上に載置された後は、カードトレイ４により、カードＣＡの下流側端部がカード導入口１２１へ案内される。よって、カードＣＡをカード導入口１２１に容易に挿入することができる。
【０１２３】
カードトレイ４は、開位置でカード搬送路１２４と略平行に延びる。そのため、カードＣＡがカード搬送路１２４と開位置に位置するカードトレイ４とに跨がるときに、カードＣＡが湾曲することを抑制できる。また、カードＣＡが搬送の途中で詰まるなどの搬送異常を抑制するために、カードＣＡをカード搬送路１２４に略平行としてカード導入口１２１へカードを導入する必要が考えられる。画像読取装置がカードトレイ４等のカードトレイを備えない構成であると、カード導入口１２１が画像読取装置１の後側に位置するため、カードＣＡをカード搬送路１２４に略平行としづらい。しかし、画像読取装置１は、カードトレイ４を備えるため、カード導入口１２１が画像読取装置１の後側に位置しているにも関わらず、カードＣＡをカード搬送路１２４と略平行とし易い。そのため、カードＣＡが搬送の途中で詰まるなどの搬送異常の発生を抑制することが出来る。
【０１２４】
画像読取装置１は、カードトレイ４を開位置から閉位置に向けて付勢するように構成されるコイルばね１３２を備えている。カードトレイ４は、前後方向に対して傾斜する方向に延びる中間位置において、重力とコイルばね１３２から受ける付勢力とが釣り合うことにより、その中間位置に保持される。
【０１２５】
カードＣＡがカード導入口１２１に挿入されるときには、カードＣＡの上流側端部が使用者の手指で摘まれて、カードＣＡの下流側端部が中間位置に位置するカードトレイ４上に載置される。このとき、カードトレイ４が傾斜しているので、カードＣＡの下流側端部がその傾斜に沿って移動する。その後、カードＣＡが押圧されて、カードＣＡにより、カードトレイ４が中間位置から開位置に向けて押圧される。このとき、カードＣＡの下流側端部がカードトレイ４上をさらに滑りながら、カードＣＡの状態が前後方向に沿う状態に変化する。
【０１２６】
カードトレイ４が閉位置から開位置に回動された後に、その開位置に位置するカードトレイ４上にカードＣＡの下流側端部が載置されて、カードＣＡの下流側端部がカードトレイ４上をカード導入口１２１へと摺動される構成も考えられる。しかしながら、画像読取装置１の前側に位置する使用者にとって、開位置に位置するカードトレイ４よりも、中間位置に位置するカードトレイ４の方が視認しやすい。よって、カードＣＡの下流側端部をカードトレイ４上に容易に載置することができるので、カードＣＡをカード導入口１２１に一層容易に挿入することができる。
【０１２７】
カード搬送路１２４の後端部である導入路１２６は、上ガイド１２７と下ガイド１２５との間に形成されている。上ガイド１２７は、後側ほど上方に位置するように形成されている。そのため、カードＣＡがカード導入口１２１を介して導入路１２６に導入されるときに、カードＣＡが上ガイド１２７と接触することを抑制できる。その結果、カードＣＡがエンボスを有していても、そのエンボスが傷つけられる、または、エンボスによって上ガイド１２７が傷つけられることを抑制できる。
【０１２８】
カードトレイ４は、導入側に膨出するように湾曲している。
【０１２９】
これにより、カードＣＡをカードトレイ４上で滑らかに摺動させることができる。
【０１３０】
画像読取装置１は、カードトレイ４上からカード導入口１２１に導入されるカードＣＡの左端縁をガイドするように構成される左側ガイド部１４１を備えている。そのため、カードＣＡがカード導入口１２１から導入されるときに、カードＣＡがカード導入口１２１に対して左側にずれることを抑制できる。そのため、カードＣＡをカード導入口１２１から良好に導入することができる。
【０１３１】
画像読取装置１は、第２方向に移動可能に設けられ、カードトレイ４上からカード導入口１２１に導入されるカードＣＡの右端縁をガイドするように構成される右側ガイド部１４２を備えている。そのため、カードＣＡがカード導入口１２１から導入されるときに、カードＣＡがカード導入口１２１に対して右側にずれることを抑制できる。そのため、カードＣＡをカード導入口１２１から良好に導入することができる。
【０１３２】
また、コイルばね１４７により、右側ガイド部１４２が左側ガイド部１４１に向けて付勢される。そのため、カードＣＡが左側ガイド部１４１と右側ガイド部１４２との間に配置されたときに、右側ガイド部１４２により、カードＣＡが左側ガイド部１４１に向けて押圧される。その結果、カードＣＡが左側ガイド部１４１と右側ガイド部１４２とに挟まれて、カードＣＡが第２方向に位置決めされる。よって、カードＣＡをカード導入口１２１から良好に導入することができる。
【０１３３】
右側ガイド部１４２は、カード導入口１２１へのカードＣＡの導入を検出するように構成されるカード挿入センサ１５２のアクチュエータを兼ねている。そのため、カードＣＡがカード導入口１２１から導入されたときに、カード挿入センサ１５２により、その導入が検出することができるとともに、カードＣＡを左側ガイド部１４１に向けて付勢することができる。カード挿入センサ１５２のアクチュエータと右側ガイド部１４２とを別々に設けた構成と比較して、部品点数を低減することができ、コストを削減することができる。
【０１３４】
カードトレイ４は、閉位置において、その先端部と下部筐体１３の後面１３Ｒとの間に上方に開放される隙間を形成する。これにより、閉位置に位置するカードトレイ４の先端部と下部筐体１３の後面１３Ｒとの間に上方からカードＣＡを差し込むことができる。そのため、カードトレイ４を閉位置から開位置に容易に移動させることができる。
【０１３５】
＜カードトレイの他の構成＞
【０１３６】
前述のカードトレイ４に代えて、図６に示される構成のカードトレイ６が採用されてもよい。
【０１３７】
カードトレイ６は、トレイ本体１６１および可動ガイド部材１６２を備えている。
【０１３８】
トレイ本体１６１は、本体部１６３、ガイド壁部１６４、延出部１６５、支持部１６６および軸部１６７を一体的に有している。
【０１３９】
一方側ガイド部の一例としてのガイド壁部１６４は、本体部１６３の左端部から立ち上がっている。
【０１４０】
延出部１６５は、本体部１６３の右前端部から右方に延びている。
【０１４１】
支持部１６６は、延出部１６５の先端部からガイド壁部１６４と同じ側に延び、ガイド壁部１６４と平行をなしている。
【０１４２】
軸部１６７は、２つ設けられている。２つの軸部１６７は、左右方向に延びる同一直線上において、ガイド壁部１６４および支持部１６６からそれぞれ右方および左方に突出している。左右の軸部１６７がそれぞれカード導入口１２１の左側面および右側面に支持されることにより、カードトレイ６は、図４に示されるカード導入口１２１を後側からカバーする閉位置とカード導入口１２１を開放する開位置との間で回動可能に設けられている。
【０１４３】
他方側ガイド部の一例としての可動ガイド部材１６２は、ガイド本体１６８およびガイド支持部１６９とを一体的に有している。
【０１４４】
ガイド本体１６８は、トレイ本体１６１の本体部１６３の左側に配置されている。ガイド本体１６８は、前後方向に延びている。ガイド本体１６８は、トレイ本体１６１のガイド壁部１６４と平行をなしている。
【０１４５】
ガイド支持部１６９は、２つ設けられている。各ガイド支持部１６９は、四角棒状をなしている。各ガイド支持部１６９は、ガイド本体１６８から右方に延び、トレイ本体１６１の本体部１６３に形成された挿入穴１７０に挿入されている。挿入穴１７０は、本体部１６３の左端面から右方に延びている。挿入穴１７０は、右半分の右側部分１７１が左半分の左側部分１７２よりも幅広に形成されている。これにより、挿入穴１７０は、右側部分１７１と左側部分１７２との境界に、段差面１７３を有している。
【０１４６】
そして、各ガイド支持部１６９は、ストッパ１７４を有している。ストッパ１７４は、ガイド本体１６８がトレイ本体１６１の支持部１６６と前後方向に隣接する位置に配置された状態で、段差面１７３に右側から当接して係止する。これにより、可動ガイド部材１６２の移動量が規制される。
【０１４７】
すなわち、画像読取装置１は、可動ガイド部材１６２の移動量を規制するように構成されるストッパ１７４を備えている。
【０１４８】
これにより、可動ガイド部材１６２がガイド壁部１６４から大きく離間したり、トレイ本体１６１から脱落したりすることを抑制できる。また、可動ガイド部材１６２がガイド壁部１６４から大きく離間する構成では、カードＣＡの長辺が左右方向に沿う向き、つまり横向きで、カードＣＡが可動ガイド部材１６２とガイド壁部１６４との間に導入されることが許容される。カードＣＡが横向きでカード導入口１２１から導入されると、カードＣＡが搬送途中で詰まるなどの搬送異常が発生するおそれがある。可動ガイド部材１６２がガイド壁部１６４から大きく離間することが抑制されるので、カードＣＡが横向きで可動ガイド部材１６２とガイド壁部１６４との間に導入されることを抑制できる。その結果、カードＣＡの搬送異常の発生を抑制することができる。
【０１４９】
また、カードトレイ６は、閉位置において、その先端部と下部筐体１３の後面１３Ｒとの間に上方に開放される隙間を形成する。
【０１５０】
これにより、閉位置に位置するカードトレイ６の先端部と下部筐体１３の後面１３Ｒとの間に上方からカードＣＡを差し込むことができる。そして、カードＣＡを介してカードトレイ６を押圧することができる。そのため、カードＣＡを介したカードトレイ６の押圧により、カードトレイ６を閉位置から開位置に容易に移動させることができる。
【０１５１】
＜変形例＞
【０１５２】
以上、本発明の実施の形態について説明したが、本発明は、さらに他の形態で実施することもできる。
【０１５３】
カードＬＦピンチローラ８３は、２つのピンチローラを備え、カードＬＦピンチローラ８３の２つのピンチローラの周面は、それぞれ下部筐体１３のカードＬＦローラ４３の周面に左側および右側に微小な間隔を空けて隣接していた。しかし、これに限らず、例えば、カードＬＦピンチローラ８３は、１つのピンチローラからなり、ピンチローラの周面が、下部筐体１３のカードＬＦローラ４３の周面に上方から当接していてもよい。
【０１５４】
カード排出口１２３の下側の一部が、シート排出口２０２の右側の一部と重複していた。しかし、これに限らず、例えば、シート排出口２０２の右側の一部がカード排出口１２３であってもよい。すなわち、カード排出口１２３の全領域がシート排出口２０２に右側において含まれていてもよい。カード搬送路１２４のうち、下部筐体１３の平坦部３４と上部筐体１４の平坦部７４との間の搬送路は、シート搬送路２０３の右側の一領域であった。しかし、これに限らず、例えば、カード搬送路１２４のうち、下部筐体１３の平坦部３４と上部筐体１４の平坦部７４との間の搬送路の下側一部が、シート搬送路２０３の右側の一部と重複していてもよい。
【０１５５】
また、前述の各構成には、特許請求の範囲に記載された事項の範囲で種々の設計変更を施すことが可能である。
【符号の説明】
【０１５６】
１      画像読取装置
２      筐体
４      カードトレイ
５      カードガイド
６      カードトレイ
１３    下部筐体
１３Ｒ  後面
１４    上部筐体
６２    ＣＩＳユニット
１０２  ＣＩＳユニット
１２１  カード導入口
１２２  カード通過口
１２３  カード排出口
１２４  カード搬送路
１２５  下ガイド
１２６  導入路
１２７  上ガイド
１３１  回動軸
１３２  コイルばね
１４１  左側ガイド部
１４２  右側ガイド部
１４７  コイルばね
１５２  カード挿入センサ
１６２  可動ガイド部材
１６４  ガイド壁部
１６７  軸部
１７４  ストッパ
２０１  シート導入口
２０２  シート排出口
２０３  シート搬送路
ＣＡ    カード
ＳＨ    シート
【図１Ａ】
2014082620.tif 000003
【図１Ｂ】
2014082620.tif 000004
【図２】
2014082620.tif 000005
【図３】
2014082620.tif 000006
【図４Ａ】
2014082620.tif 000007
【図４Ｂ】
2014082620.tif 000008
【図４Ｃ】
2014082620.tif 000009
【図４Ｄ】
2014082620.tif 000010
【図５】
2014082620.tif 000011
【図６】
2014082620.tif 000012
【図７】
2014082620.tif 000013